(57)【要約】【課題】本発明は多数の金属条体コイルを転倒しないように保管するための装置に関し、転倒防止棒の安定確実な装着が可能であり、軽量化のため転倒防止棒を薄肉パイプで構成した場合に適合させることを目的とする。【解決手段】支持枠１０を構成する外側支持枠１２は水平方向に片持に延出される上側支持板１９と下側支持板２０とから構成され、水平方向に片持に延出している。上側支持板１９には嵌合孔２４が間隔をおいて多数形勢され、下側支持板２０上には対応の嵌合孔２４と上下に芯合するように多数の保持突起２２が間隔をおいて植設される。パイプ状の転倒防止部材２６は適当な嵌合孔２４に嵌挿され、下端は対応した保持突起２２に挿入される。【選択図】  図１
2005324940.tif 000002
【特許請求の範囲】
【請求項１】
支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は支持枠側の保持部に対する転倒防止部材の下端の嵌合部と、前記嵌合部から上方に離間し、転倒防止部材が係合される係合部とから構成されることを特徴とする金属条体コイル保管装置。
【請求項２】
支持枠と、転倒防止部材と、支持枠に対する転倒防止部材の係止手段とを備え、ベース上に載置された金属条体コイルを転倒防止部材によって転倒しないように保持する金属条体コイル保管装置において、前記転倒防止部材は少なくとも下端が筒状に形成され、前記係止手段は、支持枠に植設され、転倒防止部材の筒状部が挿入される保持突起と、前記保持突起から上方に離間するように支持枠に穿設され、転倒防止部材が遊嵌される嵌合孔とから構成されることを特徴とする金属条体コイル保管装置。
【請求項３】
支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は、支持枠の長手方向に間隔をおいて多数植設され、各係止手段は、支持枠側の保持部に対する転倒防止部材の下端の嵌合部と、前記嵌合部から上方に離間し、転倒防止部材が係合される係合部とから構成されることを特徴とする金属条体コイル保管装置。
【請求項４】
支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は支持枠側の両側に列状に嵌合部を具備し、各嵌合部は転倒防止部材を、その下端と該下端から上方に幾分離間した部位との２点で嵌合支持することを特徴とする金属条体コイル保管装置。
【発明の詳細な説明】
【技術分野】
【０００１】
この発明は薄鋼板などの金属薄板を巻回したコイルを輪切りに切断することにより得られた多数の金属条体コイルを転倒しないように保管するための装置に関するものである。
【背景技術】
【０００２】
薄鋼板などの圧延金属薄板は製鉄工場かち出荷された状態では圧延幅でコイル状に巻回されているが、そのままでは幅広すぎて自動車工場などのユーザ側で使用し難いため、ユーザでの加工目的に適合した幅となるように輪切りにされた金属条体コイルとされる。輪切りにされた状態では幅は相当に狭まっているが径はそのままであるため転倒しやすく、転倒しないように対策した状態で保管する必要がある。そのため、支持枠に転倒防止棒を嵌着し、金属条体コイルを転倒防止棒に凭せ掛けることにより転倒防止を図っている（特許文献１参照）。
【特許文献１】特開平８−１９８４２０号
【発明の開示】
【発明が解決しようとする課題】
【０００３】
従来技術では転倒防止棒は支持枠に形成される嵌合孔に嵌合することにより支持枠から直立させ、金属条体コイルを転倒防止棒に凭れ掛けさせることにより金属条体コイルの転倒を防止していた。しかしながら、従来技術では転倒防止棒を嵌合するための孔を支持枠に設けただけの構造であり、十分な支持長を得難い。また、転倒防止棒に無理な力がかかりやすく、転倒防止棒を軽量化のため薄肉パイプにて構成した場合、曲がり易くて作業性（抜き差し）が良くないという問題点があった。
【０００４】
この発明は以上の問題点に鑑みてなされたものであり、転倒防止棒の安定確実な装着が可能であり、軽量化のため転倒防止棒を薄肉パイプで構成した場合に適合させることを目的とする。
【課題を解決するための手段】
【０００５】
請求項１に記載の発明によれば、支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は支持枠側の保持部に対する転倒防止部材の下端の嵌合部と、前記嵌合部から上方に離間し、転倒防止部材が係合される係合部とから構成されることを特徴とする金属条体コイル保管装置が提供される。
【０００６】
請求項２に記載の発明によれば、支持枠と、転倒防止部材と、支持枠に対する転倒防止部材の係止手段とを備え、ベース上に載置された金属条体コイルを転倒防止部材によって転倒しないように保持する金属条体コイル保管装置において、前記転倒防止部材は少なくとも下端が筒状に形成され、前記係止手段は、支持枠に植設され、転倒防止部材の筒状部が挿入される保持突起と、前記保持突起から上方に離間するように支持枠に穿設され、転倒防止部材が遊嵌される嵌合孔とから構成されることを特徴とする金属条体コイル保管装置が提供される。
【０００７】
請求項３に記載の発明によれば、支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は、支持枠の長手方向に間隔をおいて多数植設され、各係止手段は、支持枠側の保持部に対する転倒防止部材の下端の嵌合部と、前記嵌合部から上方に離間し、転倒防止部材が係合される係合部とから構成されることを特徴とする金属条体コイル保管装置が提供される。
【０００８】
請求項４に記載の発明によれば、支持枠と、転倒防止部材と、支持枠に対する転倒防止部材の係止手段とを備え、ベース上に載置された金属条体コイルを転倒防止部材によって転倒しないように保持する金属条体コイル保管装置において、前記係止手段は支持枠側の両側に列状に嵌合部を具備し、各嵌合部は転倒防止部材を、その下端と該下端から上方に幾分離間した部位との２点で嵌合支持することを特徴とする金属条体コイル保管装置が提供される。
【発明の効果】
【０００９】
請求項１の発明の作用・効果を説明すると、係止手段は転倒防止部材を上下に離間した２点で嵌合保持するため、転倒防止部材を強固に安定保持することができ、薄肉パイプなどの軽量材料を使用した場合に無理な力が掛かり難いため曲がりがおき難くスムースな脱着を行うことができる。
【００１０】
請求項２の発明の作用・効果を説明すると、転倒防止部材を嵌合孔に嵌合させつつ下端の筒状部を保持突起に嵌合させているため、請求項１の発明と同様に上下２点で安定支持することができ、かつ転倒防止部材として、薄肉のパイプ素材を使用することができ、コストや重量的に有利となる。
【００１１】
請求項３の発明の作用・効果を説明すると、請求項１の発明と同様、転倒防止部材を安定保持しうると共に、上下に整列した嵌合部と係合部との組合せが長手方向に間隔をおいて多数設けられているため、その組合せを適当に選択することにより金属条体コイルの条体幅の変化に適合させることができる。
【００１２】
請求項４の発明の作用・効果を説明すると、請求項１の発明と同様、転倒防止部材を安定保持しうると共に、係止手段を支持枠の両側に設けることにより条体幅及び径によらず安定した支持が可能になる。
【発明を実施するための最良の形態】
【００１３】
図１において、１０は支持枠であり、平行配置された一対のコの字状断面の鋼型材としての外側支持枠１２と、外側支持枠１２の内側に平行配置された一対のＩ字状断面の鋼型材としての内側支持枠１４とを備える。図２に示すように、所定肉厚の鋼管パイプにて形成したコイル支持部材１６は外側支持枠１２と内側支持枠１４とが形成する三角形断面の空間の部分に収容され、外側支持枠１２の内側面と内側支持枠１４の上面に溶接固定されている。即ち、コイル支持部材１６も支持枠１０の長手方向に平行に一対設けられる。一対のコイル支持部材１６上に図２に示すように金属条体コイル１８が直立載置される。コイル支持部材１６を鋼管パイプにて形成することにより重量のある金属条体コイル１８であっても潰れることなく支持することができる。一対のコイル支持部材１６間の間隔Ｗは金属条体コイル１８の安定した直立状態が確保されるように金属条体コイル１８の径により適宜決定されるべきものである。図２では円形断面のコイル支持部材１６の上面は外側支持枠１２の上面と面一となっているが、コイル支持部材１６に金属条体コイル１８を載置下状態で金属条体コイル１８が外側支持枠１２と干渉しない範囲で適宜段差を設けることができる。
【００１４】
外側支持枠１２は水平方向に片持に延びる上側支持板１９と下側支持板２０とから構成され、水平方向に片持に延出している。次に各外側支持枠１２に設けられ、後述の転倒防止部材を支持枠１０に対して着脱自在に係止する手段について説明すると、この係止手段は保持突起２２（この発明の係合部）と嵌合孔２４（この発明の嵌合部）とから構成される。保持突起２２は下側支持板２０上に長手方向に等間隔に直立して植設される。保持突起２２はこの実施形態では円形断面の軸長の短い中実棒状に形成され、下端は下側支持板２０の上面に溶接されている。嵌合孔２４は対応する保持突起２２と上下方向に芯合するように設けられている。後述のように上下の整列した保持突起２２と嵌合孔２４とが一つの転倒防止部材を保持する。そして、保持突起２２と嵌合孔２４の上下対の長手方向における間隔は最小の幅の金属条体コイル１８を保管する場合であっても余裕を持って装着可能に設定されている。各転倒防止部材２６は支持枠１０（外側支持枠１２）に装着された状態においては、保持突起２２の部位と嵌合孔２４の部位との高さ方向に離間された２点にて支持されることになる。
【００１５】
転倒防止部材２６は所定長さ寸法の薄肉のパイプ状に形成され、その外径及び内径は嵌合孔２４及び保持突起２２のそれぞれに対して適当な余裕（抵抗なく挿入可能であるがガタがない状態）で嵌合することができるように選定されている。
【００１６】
次に、金属条体コイル１８の保管のためのこの発明の保管装置の動作を説明すると、金属条体コイル１８は直立させて左右のコイル支持部材１６を跨ぐように載置される。他方、転倒防止部材２６は図２に示すように左右が常に対になって使用され、嵌合孔２４を介して挿通され下端が保持突起２２に嵌合されることにより装着される。そして、このような左右の保持突起２２の対は図３に示すように支持枠１０（外側支持枠１２）の長手方向に適当な間隔をおいて設けられる。左右の保持突起２２の対の長手方向の間隔（図３のL1, L2）は、その間に収容すべき金属条体コイル１８が転倒しないように、適宜設定される。即ち、金属条体コイル１８は圧延幅の金属コイルをユーザの要求に応じた幅となるように切断することにより得られるため、切断長さは区々である。即ち、図２では切断長がl1のもの(18-1)とl2のもの(18-2)とが示されている。そして、切断長の変化に応じて転倒防止部材２６を装着すべき嵌合孔２４を選択することにより、長手方向に隣接する転倒防止部材２６の間隔を適切設定し、長手方向に隣接する転倒防止部材２６間におてい切断長l1, l2に応じた間隔L1, L2が得られるようにする。
【００１７】
この発明においては、転倒防止部材２６はピン状の保持突起２２と嵌合孔２４との高さ方向に離間した２点において支持枠10(12)と係合している。そのため、金属条体コイル１８が凭れかかることにより重みがかかっても、転倒防止部材２６にかかる応力は上下の２点支持により分散され、転倒防止部材２６を薄肉のパイプ材により構成した場合においてもその曲がりが生じにくく、転倒防止部材２６の抜き差しをいつも円滑に行うことができ、作業性を高めることができるとともに、素材としても安価で済ませることができる有利がある。
【００１８】
図４は図１〜図３の実施形態のパイプ状のコイル支持部材１６の代わりに傾斜した上面を備えた一対のコイル支持部材１１６により金属条体コイル１８を載置支持させたものである。外側支持枠１２は、いずれも水平方向に片持に延びる上側支持板１９と下側支持板２０とから構成し、上側支持板１９にパイプ状の転倒防止部材２６の挿入のための嵌合孔２４を形成し、下側支持板２０上に転倒防止部材２６の下端を受け止めるための保持突起２２を植設した構成は図１〜図３の実施形態と同様である。
【図面の簡単な説明】
【００１９】
【図１】図１はこの発明の保管装置の斜視図である。
【図２】図２は図１の矢印II方向より見たこの発明の保管装置の正面図である。
【図３】図３は図１の矢印III方向より見たこの発明の保管装置の側面図である。
【図４】図４はこの発明の別実施形態における保管装置の正面図である。
【符号の説明】
【００２０】
１０…支持枠
１２…外側支持枠
１４…内側支持枠
16, 116…コイル支持部材
１８…金属条体コイル
１９…上側支持板
２０…下側支持板
２２…保持突起
２４…嵌合孔
２６…転倒防止部材
【図１】
2005324940.tif 000003
【図２】
2005324940.tif 000004
【図３】
2005324940.tif 000005
【図４】
2005324940.tif 000006